(57)【要約】本発明は、コンテンツ情報の他に、記録担体、特に光記録担体に補助的情報を記録する方法に関する。この方法により、例えば、個別の識別子を記録することにより、その記録担体を同じコンテンツ情報を担う他の記録担体と差別化できる。好ましくは、コンテンツ情報を記録するのと同時に所定の位置にダミーパターン（２３）を形成し、そのダミーパターンを選択的に修正して補助的情報を記録して修正ダミーパターン（２４）とすることにより、補助的情報を記録する。ダミーパターンと修正ダミーパターンは有効なチャネルワードに対応する。本発明はさらに、記録担体に補助的情報を記録する装置、及びその補助的情報を再生する方法と装置に関する。
2008520054.tif 000002
【特許請求の範囲】
【請求項１】
ピットとランドのパターンに対応するチャネルワードのシーケンスとして符号化されたコンテンツ情報を含むための補助的情報を光記録担体に記録する方法であって、
所定位置にダミーパターンを形成する段階と、
前記ダミーパターンを選択的に修正することにより前記補助的情報を記録して、それにより修正ダミーパターンを得る段階とを有し、
前記ダミーパターンは前記修正ダミーパターンとともに有効チャネルワードに対応することを特徴とする方法。
【請求項２】
ダミーパターンの修正は前記ダミーパターンにわたって広がる修正マスクにより行われ、前記修正ダミーパターンは前記ダミーパターンと前記修正マスクとの間の論理演算ＯＲの結果として得られ、前記ダミーパターンと前記修正サミーパターンはピットに対応して値１を取り、それ以外で値０を取り、前記修正マスクは修正すべき点に対応して値１を取り、それ以外で値０を取ることを特徴とする、請求項１に記載の方法。
【請求項３】
前記ダミーパターンの修正は前記ダミーパターンにレーザアブレーションを適用することにより行われ、ピットはピットのままであり、ランドはピットに修正される、請求項１に記載の方法。
【請求項４】
前記修正マスクと前記ダミーパターンは前記ダミーパターンの否定と前記修正マスクの間の論理演算ＯＲの結果として得られるパターンも有効チャネルワードに対応特性を有することを特徴とする、請求項２に記載の方法。
【請求項５】
前記パターンはｎ長さ単位の有限長であり、前記ピットと前記ランドは１つ以上の長さ単位にわたることを特徴とする、請求項１に記載の方法。
【請求項６】
前記修正マスクは第１の位置で始まり第２の位置で終わる後記録マークを画成し、前記修正マスクと前記ダミーパターンは前記ダミーパターンと前記修正マスクとの間の論理演算ＯＲの結果として得られるパターンの特性を有し、前記第１の位置及び／または前記第２の位置は１長さ単位（８０）シフトされ、有効なチャネルワードに対応している、請求項２及び請求項５に記載の方法。
【請求項７】
前記修正マスクと前記ダミーパターンは、前記ダミーパターンの否定と前記修正マスクの間の論理演算ＯＲの結果として得られる、前記第１の位置及び／または前記第２の位置が１長さ単位シフトしたパターンも有効チャネルワードに対応する特性を有することを特徴とする、請求項６に記載の方法。
【請求項８】
前記補助的情報の記録は：
前記補助的情報を連続したバイナリ値に符号化し、
前記連続したバイナリ値の１を格納するためにダミーパターンを修正するか、
または前記連続したバイナリ値の０を格納するために前記ダミーパターンを修正しないか、その逆により行われる、請求項１に記載の方法。
【請求項９】
コンテンツ情報を事前記録するステップを有し、前記コンテンツ情報の事前記録と前記所定位置の前記ダミーパターンの形成は成形プロセスで行われる、請求項１に記載の方法。
【請求項１０】
共通のコンテンツ情報を担う複数の情報担体を作る方法であって、
請求項９に記載の方法で前記共通のコンテンツ情報と補助的情報を記録する段階を有し、補助方法の記録は個々の符号の記録を含む、方法。
【請求項１１】
ピットとランドのパターンに対応するチャネルワードのシーケンスとして符号化されたコンテンツ情報を含むための補助的情報を光記録担体に記録する装置であって、
所定位置にダミーパターンを形成する記録ユニットと、
前記ダミーパターンを選択的に修正することにより前記補助的情報を記録して、それにより修正ダミーパターンを得る後記録ユニットとを有し、
前記ダミーパターンは前記修正ダミーパターンとともに有効チャネルワードに対応することを特徴とする装置。
【請求項１２】
ピットとランドのパターンに対応するチャネルワードのシーケンスとして符号化されたコンテンツ情報を含むための補助的情報を光記録担体に記録する装置であって、前記情報担体は所定位置にダミーパターンを有し、前記装置は、
前記ダミーパターンを選択的に修正することにより前記補助的情報を記録して、それにより修正ダミーパターンを得る後記録ユニットを有し、
前記ダミーパターンは前記修正ダミーパターンとともに有効チャネルワードに対応することを特徴とする装置。
【請求項１３】
前記後記録ユニットは修正マスクに従って前記ダミーパターンを修正するように構成されたことを特徴とする、請求項１１または１２に記載の装置。
【請求項１４】
前記後記録ユニットは、前記ダミーパターンにレーザアブレーションを適用することにより前記ダミーパターンを修正し、ピットはピットのままであり、ランドはピットに修正される、請求項１１または１２に記載の装置。
【請求項１５】
前記後記録ユニットは前記補助的情報を記録するように構成され、
前記補助的情報をバイナリ値の補助的ストリームに符号化し、
前記補助的ストリームの１を格納するためにダミーパターンを修正するか、前記補助的ストリームの０を格納するためにダミーパターンを修正しないか、その逆により、請求項１１または１２に記載の装置。
【請求項１６】
コンテンツ情報を事前記録する事前記録ユニットをさらに有し、前記コンテンツ情報の事前記録と前記所定位置の前記ダミーパターンの形成は成形プロセスで行われる、請求項１１に記載の装置。
【請求項１７】
ピットとランドのパターンに対応するチャネルワードのシーケンスとして符号化されたコンテンツ情報を含む記録担体であって、前記記録担体は選択的に修正して補助的情報をエンコードするダミーパターンを所定位置に有し、前記ダミーパターンは有効チャネルワードに対応することを特徴とする記録担体。
【請求項１８】
ピットとランドのパターンに対応するチャネルワードのシーケンスとしてエンコードされたコンテンツ情報を含む記録担体であって、前記記録担体はダミーパターンまたは修正ダミーパターンを所定位置に有し、補助的情報をエンコードし、前記ダミーパターンと前記修正ダミーパターンは有効チャネルワードに対応することを特徴とする記録担体。
【請求項１９】
記録担体に補助的情報を記録する記録システムであって、
請求項１２に記載の記録装置と、
請求項１７に記載の記録担体とを有する記録システム。
【請求項２０】
ピットとランドのパターンに対応するチャネルワードのシーケンスとしてエンコードされたコンテンツ情報を有する記録担体に記録された補助的情報を再生する方法であって、前記記録担体はダミーパターンまたは修正ダミーパターンのいずれかを所定位置に含み、それにより前記補助的情報をエンコードし、前記方法は、
前記所定位置にダミーパターンまたは修正ダミーパターンがあるかチェックして前記補助的情報を読み出する段階を有し、
前記ダミーパターンは前記修正ダミーパターンとともに有効チャネルワードに対応することを特徴とする方法。
【請求項２１】
ピットとランドのパターンに対応するチャネルワードのシーケンスとしてエンコードされたコンテンツ情報を有する記録担体に記録された補助的情報を再生する装置であって、前記記録担体はダミーパターンまたは修正ダミーパターンのいずれかを所定位置に含み、それにより前記補助的情報をエンコードし、前記装置は、
前記所定位置にダミーパターンまたは修正ダミーパターンがあるかチェックして前記補助的情報を読み出するチェックユニットと、
前記ダミーパターンは前記修正ダミーパターンとともに有効チャネルワードに対応することを特徴とする装置。
【発明の詳細な説明】
【技術分野】
【０００１】
本発明は、記録担体上に補助的情報を記録する方法と装置とに関する。
【０００２】
本発明は、さらに補助的情報が記録する記録担体、及び補助的情報を記録した記録担体にも関する。
【０００３】
本発明は、さらに記録担体上に記録された補助的情報を再生する記録する方法と装置とに関する。
【背景技術】
【０００４】
ＲＯＭ光ディスクは成形プロセスにより作られ、それにより同一のコンテンツ情報すなわちユーザデータの完全なレプリカを有する複数のディスクが作られることが知られている。コンテンツ情報は、例えば音楽、映画、ソフトウェア等であり、コピープロテクトされた素材であることが多い。アプリケーションによっては、個々のディスクは、担われた情報の少なくとも一部において異なることが望ましい。しかし、これは上記の成形プロセスでは実現できない。すぐに思いつくアプリケーションとしては、例えば、特に大規模な配信の場合に、認証、アクセス制御、コピープロテクション等の基礎として個々のディスクを区別することが可能となる。
【０００５】
特許文献１には、いわゆる後記録方法が記載されている。この方法により、ディスク製造後に読み取り専用光記録担体上に一意的なディスクＩＤ等の補助的情報を記録することができる。この方法は、「後書きＩＤ」（ＰＩＤ）とも呼ばれ、ソニー社がＣＤ−ＲＯＭに使用している。ＰＩＤの場合、レーザアブレーション（laser  ablation）を用いて、ピットのような反射をするように、スタンプしたピット間のランドを変形させることができる。（従来のディスクでは通常はアルミにより構成される）薄膜反射層の組成は、その層のアブレーション（ablation）を可能とする特殊なものである。アブレーション後、局所的な反射率が低くなり、スタンプされたピットと同等になる。ピットに記録しても反射率は大きくは変わらないので、ピットセクションに上書きしても「ピット」のままであるが、「ランド」セクションに上書きすると読み出した場合に「ピット」になる。この方法を用いると、変調ストリームを適応させることができ、それゆえ同一のユーザ情報を有する複数のＣＤ−ＲＯＭを成形プロセスの第１の段階で作ることができる。第２の段階で、個別の後書きＩＤ（一意的ディスクＩＤ、一般的には補助的情報）を各ディスクに追加することにより、複数あるＣＤ−ＲＯＭの個々のものを区別できるようにすることができる。コンテンツ情報を損なわないためには、ディスクに特別な領域を設けて、ここにユーザに関連しない、コンテンツ情報の一部ではないダミーパターンを事前に記録する。補助的情報はここに追加される。
【特許文献１】国際公開公報ＷＯ０２／１０１７３３号
【発明の開示】
【発明が解決しようとする課題】
【０００６】
本発明の目的の１つは、記録担体上に補助的情報を記録する方法と装置であって、その補助的情報を比較的簡単な方法で再生できるものを提供することである。
【０００７】
本発明のさらに別の目的の１つは、補助的情報を記録できる、または補助的情報を記録した記録担体であって、その補助的情報を比較的簡単な方法で再生できるものを提供することである。
【０００８】
本発明のさらに別の目的の１つは、記録担体に記録された補助的情報を再生する方法と装置であって比較的簡単なものを提供することである。
【課題を解決するための手段】
【０００９】
上記の目的は、本発明により、請求項１に記載した方法及び請求項１１または１２に記載した装置により達成される。さらに別の目的は、請求項１７および１８に記載した記録担体により達成される。さらに別の目的は、請求項２０に記載の方法と、請求項２１に記載の装置により達成される。有利な実施形態を従属項に記載した。
【００１０】
留意すべきことは、補助的情報はコンテンツ情報が事前記録されているのと同じ情報チャネルに記録され、それゆえ実質的に同じ復調・復号回路を使用して読み出す必要があることである。
【００１１】
また、留意すべきことは、コンテンツ情報は、それを符号化して符号化コンテンツ情報を変調することにより得られる変調ビットストリームとして情報担体にあることである。コンテンツ情報の符号化は、以下の段階の組み合わせを含む：
エラー訂正コード（ＥＣＣ）生成し、これによりコンテンツ情報を表すデータワードをＥＣＣで拡張する段階、
データワードを他のデータワードとシャッフル及び／またはインターリーブする段階、
データワードをスクランブルする段階。
【００１２】
符号化コンテンツ情報の変調により、各データワードをチャネルワードに変換する。そのチャネルワードは、１と０のパターンとして表され、光記録担体の場合にはピットとランドで表される。
【００１３】
本発明は、後記録プロセスにおいて修正された領域を設け、この領域を後処理プロセスで修正することにより、予見される変調ルールに則していないパターンを記録担体に作るとの認識に主に基づくものである。
【００１４】
変調ステップがある理由は、記録されたコンテンツ情報の読み出しの際に、エラーの検出・訂正を可能とし、記録システムにより課された帯域幅制限と互換性のある情報の記録をする冗長性を導入することである。記録システムは、例えば、ランレングス制限（ＲＬＬ、Run-Length  Limited）符号化をしようする光記憶である。光記録システムでは、例えば、ＣＤ、ＤＶＤ、または特にＢＤ標準によると、変調ステップはｎビットのデータワードとｍビット（ｍ＞ｎ）のチャネルワードに関連付けるステップを有する。結果として、チャネルワード空間では、すなわち、ｍビットで作られる２ｍ個のチャネルワードでは、関係する変調アルゴリズム（ＣＤのＥＦＭ、ＤＶＤのＥＦＭ＋、ＢＤの１７ＰＰ）で一部のみを使用し、残りは無効チャネルワードである。これと比べて、データワードを関連づけられるチャネルワードは、ここでは有効チャネルワードと呼ぶ。再生装置では、無効チャネルワードの検出により、復調の際にそのチャネルワードはエラーとしてマーキングされる。
【００１５】
本発明によると、後記録プロセスで修正するように事前配置したダミーパターンと修正されたダミーパターンとは、使用される変調ルールを満足する。すなわち、有効パターンであり、すなわち有効チャネルワードに対応することが必要であり、そうでないと、無効パターンとして、復調を適応させることが強制される。さらにまた、無効パターンとして、ダミーパターンは、チャネルのＲＬＬ（読み出し：帯域幅）制約に違反して、記録担体から読み出した高周波信号のアナログ前処理とこれらのパターンを正しく検出するための復調に大きな負荷をかけることもできる。
【００１６】
実際、ダミーパターンが有効パターンであると、復調レベルとアナログ前処理の修正がまったく必要ない。しかし、上位レイヤー（復号レベル）は適応させる必要がある。ダミーパターンはどこにあり、どのようになっており、変調はされているかいないかを知る必要があるからである。復号の際に、後記録プロセスで修正されたパターンを収集することを試みなければならない。しかし、この適応は比較的簡単なものである。実際、ダミーパターンは所定の位置に配置されている。デコーダの１つのユニットがその所定の位置にあるパターンが修正されているか否かチェックし、それにより記録されている補助的情報を読み出す。
【００１７】
このように、本発明によると、各記録担体で個別的な補助的情報（一意的ディスクＩＤ等）の記録、すなわち場合によって「後記録」を可能とするために、有効パターンであるダミーパターンを所定位置に形成する。補助的情報は、上記後記録プロセスにおいて、上記ダミーパターンを選択的に修正することにより、記録担体上に格納することができる。
この文書の場合、「ダミーパターン」、「ダミーチャネルワード」との表現は、まったく可知のないパターンやチャネルワードを指すために使用するのではなく、コンテンツ情報を担っていないパターンやチャネルワードを指すものである。すなわち、ダミーパターンやダミーチャネルワードは、実際にはコンテンツ情報の観点からは無関係であり「ダミー」である。それにもかかわらず、それらは、補助的情報に関係している。ダミーパターンやダミーチャネルワードは、変調されていようがいまいが、上記補助的情報の一部を格納しているからである。パターンとチャネルワードの間の区別も明確にしておく。
【００１８】
ＲＯＭ記録担体、すなわちコンテンツ情報が事前記録され、ユーザにより修正されない記録担体の場合、ダミーパターンとコンテンツ情報を符号化しているパターンは好ましくは、一意的ステップ、例えば成形プロセスにより形成されることが好ましい。それゆえ、同一のコンテンツ情報を事前記録した複数の記録担体を作ることができ、差別化のための補助的情報を記録することができる。しかし、本発明は、ユーザにより記録可能な記録担体にも適用できる。この場合、本発明による方法を記録担体に個別コードを事前記録するために使用することができる。これは、コピープロテクトされたコンテンツの配布のモデルでは有用である。
【００１９】
一実施形態では、ダミーパターンの修正は、修正されるパターンにわたる修正マスクにより行われる。修正ダミーパターンは、ダミーパターンと修正マスク間の論理演算ＯＲの結果として得られ、ダミーパターンは、ピットの場合は値１、その他の場合は値０により表され、修正マスクは、修正点の場合は値１、その他の場合は値０により表される。これは、レーザアブレーションにより行われるダミーパターンの修正を反映している。これにより、ピットはピットのままであるが、ランドはピットに修正される。好ましくは、記録担体は放射、特にレーザ光の使用により薄膜のアブレーション（ablation）を可能とする材料組成を含む薄膜反射層を有している。もちろん、光記録担体に情報を後記録するその他の既知または将来の方法を本発明と組み合わせて使用してもよい。この場合、本発明による方法で使用するダミーパターンと修正マスクを以下のように特徴付けることができる：ダミーパターンと修正マスク間の論理演算ＯＲの結果も、有効チャネルワードに対応するパターンでなければならない。
【００２０】
付言すると、一般的には、所与のチャネルワードがどちらの極性で修正ビットストリームにパターンとして現れるかは、事前には分からない。実際、１７ＰＰ変調では、ＥＦＭとＥＦＭ＋と同様に、予見できるところによると：
最初に、チャネルワード、すなわちビットストリングは、データワードに関連付けられており、
ピットとランドのパターンは以下のルールに従ってビットのストリング上で構成されている：１の場合ピットからランドへの遷移またはその逆、０の場合遷移なし、初期レベルはピットまたはランドで、前のワードにより決まる。
【００２１】
それゆえ、所与のチャネルワードは所与のパターンまたはその逆パターンで表される。ここで思い出すべきことは、既知の後記録方法では、「ランド」を「ピット」に変換することだけが可能だということである。既知の後記録方法では、ランドをピットに変換することだけが可能なので、生成された変調ビットストリームの極性を制御する必要がある。変調ビットストリームの極性の制御の必要性を本発明の方法の一実施形態で無くすことができる。これによると、変調ビットストリーム中にチャネルワードが現れる極性にかかわらず、ダミーパターンを有効チャネルワードに対応する他のパターンにする修正を使用する。すなわち、前記修正マスクと前記ダミーパターンは、前記ダミーパターンの否定と前記修正マスクの間の論理演算ＯＲの結果として得られるパターンも有効チャネルワードに対応する特性を有する。明らかに、これにより、ダミーパターンと修正マスクの選択範囲が制限される。この場合、ダミーチャネルワードについても正しい。
【００２２】
前述したように、チャネルワードはピットとランドのパターンとして記録担体に記録される。これらのパターンは、チャネルビットまたはクロックサイクルに対応する、ｎ長さ単位の有限長であり、ピットとランドは１長さ単位以上にわたる。ダミーパターンの修正では、その修正が修正マスクに従って指示された位置で行われることに注意しなければならない。記録担体上にあるトラックをスキャンしている時に、レーザアブレーションにより修正を行う場合、レーザのオン・オフ切り換えの同期を正確にする必要がある。本発明の一実施形態では、ダミーパターンと修正マスクは、そのダミーパターンと修正マスク間の論理演算ＯＲの結果として得られるパターンであって、修正マスクにより画成される後記録の始まり及び／または終わりが１長さ単位シフトしているパターンも、有効チャネルワードに対応するパターンであるとの特性を有する。
【００２３】
前述の通り、本発明による方法はＥＦＭ、ＥＦＭ＋、または１７ＰＰとともに使用することができる。ＥＦＭ及びＥＦＭ＋では、データワードは個別にチャネルワードに変換される。しかし１７ＰＰでは、データワードのチャネルワードへの変換（及びその逆）は、一般的に、符号化データワード（チャネルワード）のシーケンス中の前後のデータワード（チャネルワード）に依存する。それゆえ、本発明を１７ＰＰとともに使用する場合変調の際に、ダミーパターンと修正ダミーパターンは前後のチャネルワードのコンテンツにかかわらず、それぞれのデータワードに変換されるとういう特徴を有するようにダミーパターンを選択することが好ましい。
【発明を実施するための最良の形態】
【００２４】
図面を参照して本発明をより詳しく説明する。
【００２５】
図１は、例えば上記の特許文献１から分かる後記録プロセス（post-recording  process）の基本的原理を示す図である。図１Ａは、２つのピット部分１０と１２の間にあるランド部分１１をハイパワーのレーザ放射１３を印加することにより修正する方法を示している。この既知の方法では、ハイパワーのレーザ放射１３によりレーザアブレーション（laser  ablation）を行い、反射率を変化させて、ランド部分１１であった部分の反射率が低く、隣接する（スタンプされた）ピット部分１０と１２の反射率と同等になるようにする。このように、ピット・ランド・ピットのシーケンスは長いピット領域１４になる。
【００２６】
図１Ａに示した例では、ランド領域１１全体が上記レーザ放射１３により照射されるが、図１Ｂに示した例では、右側のピット部分１２に近いランド領域１１の一部のみが上記レーザ放射１３により照射されて、そのランド部分１１の上記部分のみがピット部分に修正されている。その結果、右側ピットのエッジ部分１５が修正され、上記ピットのランレングスが長くなっている。この後記録プロセスにより生じるパターンは、既存の（すなわち既記録の）ピットとランドのパターンと、修正マスク（modification  mask）との間の論理演算ＯＲの結果として表すことができる。この修正マスクは、既存のパターンにおいて、１はピットを表し０はランドを表し、修正マスクにおいて１は放射が作用することを表し０は放射が作用しないことを表す場合、レーザ放射が既存のパターンのどこに作用するかを規定する。
【００２７】
本発明によると、既存すなわち既記録のパターンと後記録プロセスにより修正されたパターンとは、両方とも有効なチャネルワード（channel  words）に対応している。明らかに、チャネルワードは有効チャネルワードであるか、または所与の変調アルゴリズムには関連していない。例えば、ＣＤに使用されるＥＦＭによると、チャネルワードは１４チャネルビットにより構成され、（８ビットにより構成される）データワードとチャネルワードとの間には双方向の一義的関係（bi-univocal  relation）が規定される。これは、１４ビットの組み合わせで得られる２１４個のチャネルワードのうち２８個のチャネルワードだけが有効なチャネルワードであることを意味している。変調ステップの必要性については上記の通りであるが、変調ステップにおいてチャネルワードがデータワードに関連付けられ、明らかにいくらかの冗長性が生じる。
【００２８】
以下では、１７ＰＰ変調を前提とする。１７ＰＰの使用はＢＤ標準により予定されているものである。本発明をＢＤを前提として説明するが、これは単なる実施例である。本発明は、ＣＤ、ＤＶＤ、または将来策定される光ディスク標準だけでなく、非光記録標準にも同様に適用可能であるからである。
【００２９】
図２は、ダミーパターン２３を示している。これはダミーチャネルワード２０に対応している。後記録マーク２５を画成する修正マスク２１により、このダミーパターン２３を修正して修正ダミーパターン２４とする。この修正ダミーパターン２４は修正ダミーチャネルワード２２に対応している。ダミーチャネルワード２０と修正チャネルワード２２は両方とも有効チャネルワードである。図示したダミーパターン２３は一例であり、本発明により使用できる唯一のものではない。あるパターンをダミーパターンとして使用した場合、そのダミーパターンと修正マスク間の論理演算ＯＲが有効チャネルワードに対応するような修正マスクがある場合、そのパターンをダミーパターンとして使用できる。それゆえ、原理的にはすべてのダミーパターンが同じである必要はない。
【００３０】
簡単な実施形態では、記録担体にいくつかのダミーパターンを設けることができ、各ダミーパターンについて、そのダミーパターンを修正することにより、または変更しないことにより、１ビットの情報を格納することができる。ダミーパターンを上記後記録により修正して２つ以上の有効修正ダミーパターンにする場合、その位置は２ビット以上の補助的情報を格納でき、補助的情報をよりコンパクトに符号化できる。
【００３１】
１７ＰＰ変調をしようする場合、図２に示したパターンを本発明によるダミーパターンとして使用できる。しかし、付言すべきこととして、一般的には、所与のチャネルワードがどの極性で変調ビットストリーム中のパターンとして現れるかは、事前には分からない。変調ビットストリームは、ＮＲＺＩ（non  return  to  zero）ビットストリームである。実際、１７ＰＰ変調では、ＥＦＭとＥＦＭ＋と同様に、予見できるところによると：
最初に、チャネルワード、すなわちビットストリングは、データワードに関連付けられており、
次に、ピットとランドのパターンは、次のルールによりビットのストリング上に構成される：１のときピットからランド、またはその逆に遷移し、０のとき遷移せず、最初のレベル（ピットまたはランド）は前のワードにより決まる。
【００３２】
それゆえ、所与のチャネルワードは所与のパターンまたはその逆パターンで表される。ここで思い出すべきことは、既知の後記録方法では、「ランド」を「ピット」に変換することだけが可能だということである。この不確実性の解消は、発生される修正ビットストリームの極性を制御することにより、例えば同期パターン前にあるＤＣ制御ビット（DC-control  bit）を操作することにより行い得る。
【００３３】
変調ビットストリームの極性を制御する必要性は、チャネルワードに対応するダミーパターンと中性マスクをしようすることにより解消できる。これにより、チャネルワードの極性がどうであろうとも、修正マスクを適用することにより得られた修正ダミーパターンが有効チャネルワードに対応することになる。この場合、ダミーチャネルワードについて説明する方が正しい。
【００３４】
必要であるがこの目的を達成するためには十分でない条件は、記録マーク２５がダミーパターンのピットとランドの両方にわたっていなければならないことである。それは、チャネルワードの極性がどうであっても修正がされなければならず、そうでないと情報が記録できないからである。
【００３５】
これを実現できるのは、例えば以下の場合である：
修正マスクが後記録マークを画成し、それをダミーパターンのピットからランド、またはその逆の遷移に重ね合わせる場合、
修正マスクが２つの後記録マークを画成し、その１つをダミーパターンのピット領域に重ね合わせ、他の１つをダミーパターンのランド領域に重ね合わせる場合。
【００３６】
あるいは、ダミーパターンを、同一の修正マスクが適用される反対極性を有する２つのダミーパターンで置き換え、２つのダミーパターンのうちの少なくとも一方が修正されるようにする。
【００３７】
図３は、ダミーパターンと修正マスクの一実施形態である。これにより、修正マスクは１つの後記録マークを画成する。この後記録マークはダミーパターンのピットからランド、またはその逆の遷移に重ね合わされる。この例では、単一の後記録マークが２つの２Ｔランレングス（2T  run-lengths）（Ｔは基準クロックのクロックサイクルまたは長さ単位である）にわたっており、先に記録されたダミーチャネルワードを他の有効なチャネルワードに変換する。ダミーパターンの極性に応じて、対応するデータバイト値は２５ｈまたは０１ｈのいずれかである。ある（ビットストリーム１の）場合、２Ｔ−２Ｔ−２Ｔランレングスのシーケンスが６Ｔランレングスに変換され、他の（ビットストリーム２の）場合、２Ｔ−２Ｔ−３Ｔのシーケンスが７Ｔランレングスに変換される。
【００３８】
要するに、このように、ダミーパターンの極性は制御する必要がない。その極性にかかわらず、有効なチャネルワードは他の有効なチャネルワードに修正されるからである。本発明のこの実施形態では、一パターンをダミーパターンとして使用できるのは、修正マスクがあって、（ダミーパターンＯＲ修正マスク）が有効チャネルワードに対応し、（−ダミーパターンＯＲ修正マスク）が他の有効チャネルワードにさらに対応する場合である。
【００３９】
図４は、修正マスクが２つの後記録マークを画成し、その１つをダミーパターンのピット領域に重ね合わせ、他の１つをダミーパターンのランド領域に重ね合わせる実施形態を示している。この修正マスクにより、（データワード７９Ｅｈに対応する）既存パターンを、データバイト値が２９Ｅｈまたは７ＢＡｈである修正ダミーパターンに修正する。
【００４０】
図５が示す実施例は、単一の記録マークが２つの３Ｔランレングスの一部に位置しており、（データバイト５７ｈに対応する）既存のパターンをデータバイトが６７ｈまたは３７ｈのいずれかに対応する修正ダミーパターンに変換する。ビットストリーム１の場合、３Ｔ−３Ｔランレングスが４Ｔ−２Ｔシーケンスに変換され、他のビットストリーム２の場合、２Ｔ−４Ｔシーケンスに変換される。
【００４１】
ここまでに提案した解決策はロバスト性（robustness）の点、特に後記録マークのためのレーザのオン・オフ切り換えの同期誤差に対するロバスト性の点で改良の余地がある。
特に、留意しておくが、後記録後、次の方法の１つで記録マークにより形成された修正信号のランレングスは短い（２Ｔまたは３Ｔ）：
記録マークのランレングスが短い、
記録マークの直前または直後にあるランドのランレングスが短い、または
マークの記録により短いランレングスのシーケンスになる。
【００４２】
短いランレングスは、長いランレングスよりも検出誤差に弱い。一例として、図４に示したグラフを参照する：元の２Ｔのピットの右側に２ＴのマークのＮＲＺＩビットストリーム１を上書きするには、２Ｔマークのマーク長さを非常によく制御する必要がある。長すぎる場合、元のランレングスに影響が及んでしまう。
【００４３】
留意しておくこととして、記録マーク長さは正確に制御する必要がある。実際のマーク長と意図したマーク長の差は＜＜０．５Ｔでなければならず、そうでなければ、検出されるランレングスが意図したランレングスよりも１Ｔ長いか短い可能性が高くなる。これにより、ランレングスが無効（例えば、１Ｔランレングス）になったり、変調符号ワードが無効になったりする。
【００４４】
それゆえ、本発明の好ましい実施形態では、ダミーパターンと変調マスクは、検出に対するロバスト性を高くする以下の追加的特性のうち少なくとも１つを有する。
ランレングスが短くならないように、ピットの場合にピット長に影響せず、ランドの場合に隣接するピットとともにロバストに検出できる長いランレングスを形成するような位置に、そのような名目長（両方とも修正マスクにより画成される）を有する後記録マークを配置する。図６Ｂに、記録後に４Ｔピットの記録マークは変更されないことを示し、図６Ａに、２Ｔピットに隣接する４Ｔランドにマークを記録することを示した。記録後、これは８Ｔピットとして検出される。８Ｔピットは完全に変調されているので、プレスされたピットと記録されたマークの間の遷移の検出信号にある小さな歪みによりランレングスの検出は間違われない。
【００４５】
後記録マークのオン・オフ切り換えの正確な制御の必要性を緩和するため、好ましくは極性に関わりなく、後記録マークのスタート・ストップで後記録マークが１ビット長の偏差を有しても、修正ダミーパターンが有効チャネルワードに対応するようにダミーパターンと修正マスクを画成する。
【００４６】
図７に示した例で、短いランレングスをいかに回避するかを示した。後記録前には、３バイトの値は３３４ＣＣ６ｈである。グラフに示した位置にある４Ｔマークで後記録した後、そのバイトの値は、変調ストリームの極性に応じて、３３４８４６ｈまたは２１４ＣＣ６である。この場合、ダミーワードは２つの（異なる）ダミーワードにより置き換えられる。それらのダミーワードは、適当な（異なる）修正マスクがその２つの一方の修正をする極性を有している。
【００４７】
図８に示した例において、後記録マークのオン・オフ切り換えを正確に制御する必要性を以下に緩和するかが分かる。元の変調ビットストリームを（極性が逆の）ストリーム１ａとストリーム２ａとして示した。４Ｔマークが記録されると、変調ビットストリームの極性に応じて、ＮＲＺＩ変調ストリーム中の遷移が−２Ｔまたは＋２Ｔシフトする（ストリーム１ｂと２ｂを参照）。同期誤差により、２Ｔマークが記録された場合、遷移は−１Ｔまたは＋１Ｔシフトする（ストリーム１ｃと２ｃを参照）。元の変調ビットストリームは、すべてのビットストリーム１ａ／ｂ／ｃと２ａ／ｂ／ｃが有効なビットストリームであるように構成できる。遷移が０．５Ｔ．．．１．５Ｔシフトしていると、復号の際にランレングスは１Ｔ長く、または短く検出されるので、この例では、１Ｔ＜マーク長＜５Ｔの記録マークで有効なビットストリームを作ることができる。
【００４８】
図９には、３つの既記録ダミーパターンが示されている。すべてデータワード４６ｈに対応し、個別に修正できる。図示した位置の４Ｔマークで後記録した後、データワード２Ａｈまたは４Ａｈに対応する修正パターンを、ダミーパターンの極性に応じて作ることができる。
【００４９】
図９のストリーム１が２Ｔマーク（図１０ａに示した）で後記録されている場合、データワード４６ｈは、変調ビットストリームの極性に応じて２６ｈまたは６Ｅｈに変換される。また、図１０に６Ｔ後記録マークでの後記録を示した。これはデータワード０２ｈまたは無効パターンとなる。
【００５０】
図９のストリーム２が２Ｔマーク（図１０ｂに示した）で後記録されている場合、データワード４６ｈは、変調ビットストリームの極性に応じて２６ｈまたは６Ｅｈに変換される。再び、６Ｔ後記録マークと示した。これはデータワード０２ｈまたは無効パターンとなる。それゆえ、図９のストリーム２の後記録に６Ｔマークを使用することは避けなければならない。６Ｔ記録をすると、（ストリームがストリーム１である可能性は５０％あるので、）正しく復号できる可能性は５０％あり、それは余分なロバスト性と見なせる。ストリーム２の場合、出力は予測できず、デコーダが１７ＰＰルールに対する違反をいかに処理するかに応じて決まる。その場合、ビットは「消去」としてマークし、補助的チャネルデータビットにわたり、高いレベルで（例えば、ＥＣＣ）補正することが可能である。
【００５１】
これらの実施形態では、データ記録の信頼性を高くすることができる。記録マークのスタート／ストップにおける同期誤差をより多く許容することができるからである。
【００５２】
図１１は、変調ビットストリームから補助的情報を再生する装置の概略図である。上記補助的情報は、本発明による方法で記録されたものである。変調ビットストリーム１１０は、変調ユニット１１１で受信され、データワード１１２の連続に変換される。このデータワード１１２の連続は、復号ユニット１１３に入力される。この復号ユニット１１３は、コンテンツ情報１１７を読み出す。復号ユニット１１３は、デスクランブリングユニット１１４、デインターリービングユニット１１５、エラー訂正ユニット１１６を含み、一般的にこれらの動作は記憶システムに関係している。チェッキングユニット１１８は、変調ビットストリーム中の（ダミーパターンがある）所定位置に対応する位置にあるデータをチェックする。
【００５３】
これらのデータワードは各々、元の値（ダミーパターンと関連する値）に対してチェックされるか、修正ダミーパターンを有する値に対してチェックされる。
【００５４】
ダミーパターンが修正されているか否かを調べて、補助的情報１１９を読み出す。補助的情報を読み出している時、エラー訂正は行われない。しかし、本発明では、ユーザデータが復号後に修正されるように、チャネルビットが修正される。エラー訂正ユニットが無効であるとき、エラー訂正ユニットは修正を検出して、それを初期値に訂正する。このように、（エラーレベルがエラー訂正コードの能力を超えない場合）後記録データを消去する。
本発明による装置の利点は、変調ビットストリーム中のチャネルワードが有効なチャネルワードであるため、復調ユニット１１１が従来の装置と同じである点である。
【００５５】
図面では、最初にデータワードを値７５ｈ（ダミーチャネルワード）に対してチェックし、値７５ｈと等しくないとすると、値２５ｈまたは０１ｈ（極性により修正されたダミーチャネルワード）に対してチェックされる。これにより、１ビットの情報（修正されていないダミーチャネルワードの場合０であり、修正されたダミーチャネルワードの場合１、またはその逆。いずれでも先に為された変換）を読み出す。
【００５６】
簡単に要約すると、補助的情報を再生する装置にとって重要なことは以下の通りである：
変調ビットストリーム中のダミーパターンの所定の位置に対応する、復調後のデータワードの連続中の位置を特定し、
補助的情報を再構成するように、それに含まれるデータワードがダミーパターンに対応するものであるか、または修正ダミーパターンに対応するものであるか、チェックする。
好ましくは、ＢＤシステムにおける発明を使用する場合、上記の所定の位置は記録フレームのフレーム同期の後にあり、所定数のビット（特に、１ビットから５ビットの間）を有する。これにより、後記録された補助的情報を検出して復号することが容易になる。ダミーチャネルワードは、好ましくは、コンテンツ情報との干渉が起きないように、ディスクのリードイン領域にあることが好ましい。
【００５７】
以下のセクションでは、一意的ディスクＩＤチャネルワードのインターリーブに関してコメントをする。メインチャネル中の単一のエラー、または単一の書き込みエラーにより２つのチャネルワードが損なわれる（これは通常検出可能である）。適当なインターリーブをすることにより、これらの２つのエラーを２つの符号ワードに配分する。これは、ロバスト性を十分高くするために大いに役に立つ。
【００５８】
他の利点は、本方法により、各一意的ディスクＩＤ（Unique  Disc  ID）について、この一意的ディスクＩＤを示すビットストリームが、一意的ディスクＩＤがないことを示すビットストリームとは大きく異なるようになる。すなわち、ディスクが一意的ディスクＩＤを含むか否かを信頼性高く検出することができる。
【００５９】
一意的ディスクＩＤをディスクに付加する場合、第１のエラー訂正符号によるパリティビットを、この一意的ディスクＩＤを表すビットストリームに付加して、第１の符号化ストリームとすることが好ましい。この第１のストリームからのビットは、例えば２ビットのグループに区分け（partition）され、これらのグループの各々にパリティビットが付加される。その結果得られる第２のビットストリームは、ディスク上の位置に各ビットを割り当て、そのビットが「１」である場合にのみこの位置に意図したマークを記録することにより、ディスク上に格納される。
【００６０】
以下に２つの実施形態を説明する。提案されているところによると、ブルーレイディスクフォーマットでは、３つのマークを各同期パターンの直後に記録できる。２つの連続したチャネルワード間の境界上のシフトされたＩ２により、２つの連続したエラーが発生する。このエラーはビット検出方法（scheme）により検出されることが多い。この状況に対処するため、２つの連続した行の６＝２×３個の記録位置を２つのセットに区分けする。以下に示すように（第１の実施形態）、各々のセットは３つの位置を含み、いずれも行中で連続していない。
同期ＡＢＡ
同期ＢＡＢ
「Ａ」で示した位置の３つのビットは、その奇数番目が「１」を含み、同様に「Ｂ」で示した位置のビットの奇数番目が「１」を含む。検出アルゴリズムが、「Ａ」で示した位置中の２つのビットが信頼でき、他のビットは信頼できないと判断した場合、これらの３ビットの奇数番目が「１」であることから、信頼できないビットの値を計算できる（単一消去訂正）。「Ａ」で示した位置にある３つのビットに対応する第１の符号化ビットストリームは正しく読み出され、第１のエラー訂正符号の負荷が低減される。「Ａ」で示された位置において、「Ｂ」で示された位置と同様に、記録は１つまたは３つあることに留意せよ。各一意的ディスクＩＤについて、潜在的な記録位置の少なくとも１／３では、記録が実際になされる。その結果、一意的ディスクＩＤがないディスクと、一意的ディスクＩＤが記録されたディスクとを信頼性高く識別することができる。
【００６１】
前出の実施形態では、単一の書き込みエラー（「ファット」書き込み）により行中の最初と最後のビットにエラーが生じる。この２つのエラーが検知されても、第１の実施形態ではこれらを訂正することはできない。第２の実施形態では、４行を使用し、３つの位置の４つのグループ（すべて行は異なる）を選択し、各行が奇数個の１を含むことを要求する。
例えば、４つのグループＡ、Ｂ、Ｃ、Ｄの位置を次のように選択する：
同期ＡＢＣ
同期ＤＡＢ
同期ＣＤＡ
同期ＢＣＤ
このように選択すると、メインチャネルにおける単一のエラーまたは単一の書き込みエラーにより生じる２つのエラーは異なるグループにある。
【００６２】
３グループではなく４グループを選択する理由は、第１の符号化ステップのエラー訂正コードは、バイトベースであることが多く、すなわち、８ビットのグループで動作することが多いからである。要約すると、この実施形態では、記録された一意的識別子の読み出しをさらにロバストにするために、記録イベントに冗長性を入れる。別の利点として、ディスクが一意的識別子を含むか否かを信頼性高く検出することができる。
【００６３】
本発明は、以下のように要約できる。本発明は、コンテンツ情報の他に、記録担体、特に光記録担体に補助的情報を記録する方法に関する。この方法により、例えば、個別の識別子を記録することにより、その記録担体を同じコンテンツ情報を担う他の記録担体と差別化できる。好ましくは、コンテンツ情報を記録するのと同時に所定の位置にダミーパターンを形成し、そのダミーパターンを選択的に修正して補助的情報を記録して修正ダミーパターンとすることにより、補助的情報を記録する。ダミーパターンと修正ダミーパターンは有効なチャネルワードに対応する。本発明はさらに、記録担体に補助的情報を記録する装置、及びその補助的情報を再生する方法と装置に関する。
【図面の簡単な説明】
【００６４】
【図１】Ａ及びＢは、既知の後記録方法の基本的な原理を示す図である。
【図２】本発明による方法で使用するダミーパターンと変調マスクを示す図である。
【図３】本発明による方法で使用するダミーチャネルワードと変調マスクの一実施形態を示す図である。
【図４】本発明による方法で使用するダミーチャネルワードと変調マスクの他の一実施形態を示す図である。
【図５】本発明による方法で使用するダミーチャネルワードと変調マスクのさらに他の一実施形態を示すさらに図である。
【図６】本発明による方法の一実施形態におけるランド領域とピット領域上の後記録の効果を示す図である。
【図７】本発明による方法のさらに別の実施形態を示す図である。
【図８】本発明による方法のさらに別の実施形態を示す図である。
【図９】本発明による方法のさらに別の実施形態を示す図である。
【図１０Ａ】本発明による方法のさらに別の実施形態を示す図である。
【図１０Ｂ】本発明による方法のさらに別の実施形態を示す図である。
【図１１】本発明による補助的情報を再生する装置を示す概略図である。
【図１】
2008520054.tif 000003
【図２】
2008520054.tif 000004
【図３】
2008520054.tif 000005
【図４】
2008520054.tif 000006
【図５】
2008520054.tif 000007
【図６】
2008520054.tif 000008
【図７】
2008520054.tif 000009
【図８】
2008520054.tif 000010
【図９】
2008520054.tif 000011
【図１０Ａ】
2008520054.tif 000012
【図１０Ｂ】
2008520054.tif 000013
【図１１】
2008520054.tif 000014
【国際調査報告】
2008520054.tif 000015
2008520054.tif 000016
2008520054.tif 000017